(57)【要約】【課題】移動型Ｘ線装置の小型化軽量化を図るとともに電力効率の向上を図る。【解決手段】Ｘ線発生部１０とＸ線画像情報が記憶されたイメージングプレートから画像情報を読み取る画像読取装置５０とを有する本体部２と、本体部２を走行させる走行部６０と、走行用のバッテリー７０と、を備え、画像読取装置５０は、バッテリー７０から供給される直流電流により直流電源駆動する。【選択図】図２
2010252890.tif 000002
【特許請求の範囲】
【請求項１】
Ｘ線発生部とＸ線画像情報が記憶されたイメージングプレートから前記Ｘ線画像情報を読み取る画像読取装置とを有する本体部と、
前記本体部を走行させる走行部と、
前記走行部に供給する直流電流を蓄電し、前記走行部の定格電圧の直流電流を放電するバッテリーと、
前記バッテリーの直流電圧を前記画像読取装置の定格電圧に変圧する直流電源電圧変換部と、を備え、
前記画像読取装置には、前記直流電源電圧変換部により変圧された前記画像読取装置の定格電圧が印加される、
ことを特徴とする移動型Ｘ線装置。
【請求項２】
前記移動型Ｘ線装置を制御する制御部を更に備え、
前記直流電源電圧変換部は、前記バッテリーから供給される直流電流を、更に前記制御部の定格電圧に変圧し、
前記制御部には、前記直流電源電圧変化部により変圧された前記制御部の定格電圧が印加される、
ことを特徴とする請求項１に記載の移動型Ｘ線装置。
【請求項３】
前記画像読取装置が読み取った前記画像データを表示する表示装置と、操作指示を入力する入力装置と、前記表示装置及び前記入力装置の制御を行なう制御装置と、交流直流コンバータと、を備えた交流電源駆動のコンソールと、
前記バッテリーの直流電流を交流電流に変換するインバータと、を備え、
前記コンソールには、前記インバータにより変換された前記交流電流が供給される、
ことを特徴とする請求項１に記載の移動型Ｘ線装置。
【発明の詳細な説明】
【技術分野】
【０００１】
本発明は、移動型Ｘ線装置に係り、特に、移動型Ｘ線装置の小型化・軽量化に関する。
【背景技術】
【０００２】
従来、支持体の上に輝尽性蛍光体が塗布して構成されたイメージングプレートを用いてＸ線撮影を行い、イメージングプレートに潜像として蓄積された被検体のＸ線吸収分布をＸ線画像情報として読み出すとともに、読み出した画像データを消去する画像読取装置がある。例えば、非特許文献１には、決められた場所に設置して使われる画像読取装置が開示されている。この画像読取装置は、読影室内の壁面等に設置されたコンセントに接続して交流電源駆動するように構成されている。
【先行技術文献】
【非特許文献】
【０００３】
【非特許文献１】REGIUS  MODEL  110カタログ[平成２１年３月１８日検索]、インターネット＜URL：http://konicaminolta.jp/healthcare/products/cr/regius110/index.html＞
【発明の概要】
【発明が解決しようとする課題】
【０００４】
上記非特許文献１に開示された画像読取装置は、読影室等、所定の場所に設置して使用されるため、病院内を回診しつつその場でＸ線画像を確認することはできない。そこで、画像読取装置を移動台車に搭載した回診用の移動型Ｘ線装置がある。
【０００５】
しかし、回診用の移動型Ｘ線装置は、移動に伴う操作性の向上のためにより小型化・軽量化を図ることが好ましいが、移動台車に画像読取装置を搭載するだけでは十分な小型化・軽量化を図ることができないという問題があった。加えて、回診用の移動型Ｘ線装置は、病院内の各所に移動して使用されるため、必ずしも移動先において電源が確保できず、移動先でバッテリー切れの防止や、走行時間及び操作時間のより長時間化が要求されているという問題があった。
【０００６】
本発明は、上記問題に鑑みてなされたものであり、より小型化・軽量化を図るとともに、電力効率の向上も可能な移動型Ｘ線装置を提供することを目的とする。
【課題を解決するための手段】
【０００７】
上記課題を解決するために、本発明に係る移動型Ｘ線装置は、Ｘ線発生部とＸ線画像情報が記憶されたイメージングプレートから前記Ｘ線画像情報を読み取る画像読取装置とを有する本体部と、前記本体部を走行させる走行部と、前記走行部に供給する直流電流を蓄電し、前記走行部の定格電圧の直流電流を放電するバッテリーと、前記バッテリーの直流電圧を前記画像読取装置の定格電圧に変圧する直流電源電圧変換部と、を備え、前記画像読取装置には、前記直流電源電圧変換部により変圧された前記画像読取装置の定格電圧が印加される、ことを特徴とする。
【発明の効果】
【０００８】
本発明によれば、バッテリーの直流電流により画像読取装置を直流電源駆動させることができる。そのため、従来の交流電源駆動の画像読取装置を移動台車に搭載して移動型Ｘ線装置を構成し、バッテリーの直流電源を交流変換して画像読取装置を交流電源駆動する場合に比べて、交流変換に要するインバータを削減することにより移動型Ｘ線撮影装置の小型化・軽量化を図ることができる。更に、バッテリーの直流電流を交流に変換する必要がなくなり、電力効率を向上させることができる。
【図面の簡単な説明】
【０００９】
【図１】第一実施形態に係る移動型Ｘ線装置の外観図
【図２】第一実施形態に係る移動型Ｘ線装置の機能ブロック図
【図３】第一施形態に係る移動型Ｘ線装置の電源供給の流れを示すフローチャート
【図４】第二実施形態に係る移動型Ｘ線装置の機能ブロック図
【発明を実施するための形態】
【００１０】
以下、本発明を適用する実施形態について説明する。以下、本発明の実施形態を説明するための全図において、同一機能を有するものは同一符号を付し、その繰り返しの説明は省略する。
【００１１】
以下、図１に基づいて、本実施形態に係る移動型Ｘ線装置１の概略構成について説明する。図１は、第一実施形態に係る移動型Ｘ線装置の外観図である。
【００１２】
本実施形態に係る移動型Ｘ線装置１は、主に本体部２と、本体部２の前方に立設された支柱２０と、本体部２の下部に備えられ、本体部２及び支柱２０を搭載して走行する走行部６０とを備える。
【００１３】
支柱２０には、パンタアームにより構成されたアーム部２１が連結される。アーム部２１は、パンタアームに代えて、テレスコピックアームでもよい。アーム部２１の開放端側には、Ｘ線を発生させるＸ線発生部１０と、Ｘ線の照射範囲を制限する絞り装置１５とが備えられる。アーム部２１を伸縮させたり、回転させたりすることにより、図示しない被検体の撮影部位にＸ線が照射されるようにＸ線発生部１０および絞り装置１５の位置を移動させ、絞り装置１５によりＸ線の照射範囲を規定する。被検体を挟んでＸ線発生部１０と対向する位置には、図示しないイメージングプレートが載置される。Ｘ線発生部１０から発生されたＸ線のうち、被検体を透過したＸ線がイメージングプレートに入射しＸ線画像情報に変換され、被検体のＸ線吸収分布が潜像として蓄積される。
【００１４】
本体部２は、支柱２０と反対側（後方上面付近）に、各種操作キーやＸ線画像を表示するための表示パネルを備えた操作パネル３０と、操作者が移動型Ｘ線装置１を走行させるときに把持する走行ハンドル４０とを備える。走行ハンドル４０は図示を省略するものの、移動型Ｘ線装置１のブレーキが備えられており、操作者が走行ハンドル４０を把持した手でブレーキ操作が行えるように構成される。
【００１５】
本体部２は、中央付近に、イメージングプレートから潜像として蓄積された被検体のＸ線吸収分布を画像データとして読みだすと共に読みだした画像データを消去する画像読取装置（以下「ＣＲ読取機」という。ＣＲ：computed  radiography）５０を備える。
【００１６】
本体部２の下部には、モータ駆動又は手動駆動により走行する車輪６３からなる走行部６０と、走行部６０に供給する直流電流を蓄電し、走行部６０の定格電圧の直流電流を放電する充電式のバッテリー７０とが備えられる。更に、本体部２の内部には、バッテリー７０から供給される直流電流の電圧をＣＲ読取装置５０の定格電圧に変換する直流電源電圧変換部（ＤＣ／ＤＣコンバータ）８０と、制御部９０と、が備えられる。
【００１７】
次に図２に基づいて移動型Ｘ線装置１の内部構成を説明する。図２は、第一実施形態に係る移動型Ｘ線装置の機能ブロック図である。
【００１８】
移動型Ｘ線装置１には、バッテリー７０と、バッテリー７０を充電するための充電器１００とが備えられる。充電器１００は、ＡＣプラグ１０１を備え、移動先のＡＣコンセントに接続することにより、交流電源から得た交流電流を直流電流に変換し、バッテリー７０に充電する。充電器１００を本体部２に備えることにより、移動先で充電することができる。本実施形態では、充電器１００を本体部２に搭載したが、バッテリー７０を移動型Ｘ線装置１から着脱自在に構成するとともに、充電器１００を移動型Ｘ線装置１とは別体に構成してもよい。そして、充電器１００を所定の位置、例えば、移動型Ｘ線装置１の保管場所に設置し、本体部２から取り外したバッテリー７０を充電するように構成してもよい。これにより、充電器１００を移動型Ｘ線装置１に搭載する場合に比べての更なる小型化、軽量化を図ることができる。
【００１９】
バッテリー７０は、Ｘ線発生部１０の高電圧変圧器１１、制御部９０用の直流電源電圧変換部（以下「ＤＣ／ＤＣコンバータ」という）８１、操作パネル３０（より詳しくは後述する操作パネル３０が備えるコンソール３２）用のインバータ８２、走行部６０の走行制御回路６１、及びＣＲ読取機５０用のＤＣ／ＤＣコンバータ８０に直流電流を供給する。
【００２０】
Ｘ線発生部１０は、バッテリー７０から供給される直流電流の電圧を変圧する高電圧変圧器１１と、高電圧変圧器１１による高圧電流の電圧を更に上げる昇圧器１２と、ターゲット（図示を省略）及びフィラメント（図示を省略）を備えるＸ線管１３と、フィラメントを加熱するための電流を変圧させるための加熱変圧器１４とを備える。Ｘ線管１３は、昇圧器１２により変圧された高圧電流がターゲットとフィラメントの間に印加されるとともに、フィラメントから放出された熱電子がターゲットに衝突することにより、Ｘ線を発生させる。
【００２１】
制御部９０は、加熱変圧器１４を制御する加熱回路９１と、ＣＰＵ（中央演算装置）９２と、操作者が入力操作を行うＸ線スイッチ９６及び操作スイッチ３１に接続されたＩ／Ｏ９３と、Ｉ／Ｏ９３との間でデータを送受信して一時的に記憶するモリ９４とを備える。Ｉ／Ｏ９３には、検出回路９５が接続されており、検出回路９５はＸ線管１３に接続される。Ｘ線スイッチ９６がＯＮされると、Ｉ／Ｏ９３を介して検出回路９５がＸ線の曝射信号を検出し、Ｘ線管１３に曝射信号を出力、Ｘ線管１３からＸ線が曝射される。
【００２２】
制御部９０用のＤＣ／ＤＣコンバータ８１は、バッテリー７０から供給される直流電流を制御部９０の各構成要素に供給するのに適した定格電圧に変圧する。
【００２３】
操作パネル３０には、絞り装置１５の絞り操作を行ったり、その他の操作指示を入力したりするための操作スイッチ３１と、キーボードやタッチパネルなどの入力装置及びＣＲ読取機５０が読みだしたＸ線画像を表示する表示装置、更にコンソール３２内の諸動作を制御する制御装置を備えたコンソール３２とを備える。コンソール３２は、その内部にＡＣ／ＤＣコンバータを内蔵し交流電源駆動する。
【００２４】
本体部２にはインバータ８２が備えられ、バッテリー７０から供給される直流電流を交流電流に変換し、コンソール３２に給電される。
【００２５】
走行部６０は、走行制御回路６１と、車輪６３をモータ駆動させるための走行モータ６２とを備える。また、走行ハンドル４０は、操作者が移動型Ｘ線装置１の走行中に制動をかけるためのブレーキ（図示は省略）を備える。走行制御回路６１は、このブレーキと走行モータ６２とを制御し、ブレーキが操作されると走行モータ６２に対して制動をかけるように制御し、ブレーキが解除されると走行モータ６２を駆動させ、移動型Ｘ線装置１を走行させる。
【００２６】
本体部２にはＣＲ読取機５０が備えられ、その外表面にイメージングプレートを挿入するための挿入口が備えられる。また、本体部２には、バッテリー７０の直流電流をＣＲ読取機５０の定格電圧に応じて変圧させるためのＤＣ／ＤＣコンバータ８０が備えられる。ＤＣ／ＤＣコンバータ８０によりＣＲ読取機５０の定格電圧に変圧された直流電圧がＣＲ読取機５０に印加される。挿入口からイメージングプレートが挿入されるとＣＲ読取機５０がイメージングプレートからＸ線画像情報を読みだし、コンソール３２の表示装置にＸ線画像が表示される。ＣＲ読取機５０は、Ｘ線画像情報の読み出しが終了するとイメージングプレートからＸ線画像情報を消去する。
【００２７】
次に図３に基づいて、本実施形態に電源供給の流れを説明する。図３は、本実施形態に係る移動型Ｘ線装置１の電源供給の流れを示すフローチャートである。
【００２８】
Ｓ１では、バッテリー７０に直流電流が充電されている。この直流電流がＤＣ／ＤＣコンバータ８０に供給される。
【００２９】
Ｓ２では、ＤＣ／ＤＣコンバータ８０が、バッテリー７０から供給された直流電流をＣＲ読取機５０の定格電圧に変圧する。
【００３０】
Ｓ３では、Ｓ２で変圧された定格電圧が、ＣＲ読取機５０に印加される。
【００３１】
本実施形態に係る移動型Ｘ線装置１によれば、バッテリー７０の直流電源を変圧させてＣＲ読取機５０を直流電源駆動させることにより、従来、すなわち、移動型Ｘ線装置にバッテリー７０からの直流電流を交流電流に変換するインバータと交流電源駆動するＣＲ読取機とを備えて構成する場合に比べて、インバータとＣＲ読取機内のＡＣ／ＤＣコンバータとが不要になることから、部品点数の削減し、移動型Ｘ線装置の小型化及び軽量化を図るだけでなく、電力効率を向上させることができる。
【００３２】
また、コンソール３２の消費電力はＣＲ読取機５０の消費電力に比べて少ないため、コンソール３２用のインバータ８２は、従来の交流電源駆動のＣＲ読取機を動作させるために必要なインバータに比べて小型・軽量であるため、移動型Ｘ線装置１の小型化・軽量化を図ることができる。
【００３３】
上記のバッテリー７０は、走行部６０の定格電圧相当の直流電流を放電し、走行部６０にはバッテリー７０からの直流電圧を印加させ、他の構成要素（デバイス）、例えばＣＲ読取機５０、制御部９０にはそれぞれの定格電圧に変圧するＤＣ／ＤＣコンバータ８０、８１を備えたが、図４に示すように、バッテリー７０にＤＣ／ＤＣコンバータ８３を接続し、このＤＣ／ＤＣコンバータ８３を用いてＣＲ読取機５０、及び制御部９０のそれぞれの定格電圧に変圧させてもよい。これにより、ＣＲ読取機５０、制御部９０に必要なＤＣ／ＤＣコンバータを共用させることができ、移動型Ｘ線装置１の更なる小型化・軽量化を図ることができる。
【００３４】
また、本実施形態では、従来からある交流電源駆動のコンソール３２を用いるために、インバータ８２を備え、インバータ８２により直流交流変換を行ったが、コンソール３２内のＡＣ／ＤＣコンバータを取り外し、コンソール３２用のＤＣ／ＤＣコンバータを備えて、バッテリー７０から直流電流を供給するように構成してもよい。これにより、インバータ８２とコンソール３２内のＡＣ／ＤＣコンバータとが不要となる。更に、コンソール３２用のＤＣ／ＤＣコンバータを、図４のＤＣ／ＤＣコンバータ８３と共用させて、単一のＤＣ／ＤＣコンバータにより、移動型Ｘ線装置１の全デバイスに応じた変圧をさせてもよい。これにより、移動形Ｘ線装置１の更なる小型化・軽量化を図ることができる。
【符号の説明】
【００３５】
１：移動型Ｘ線装置、２：本体部、１０：Ｘ線発生部、１５：絞り装置、２０：支柱、２１：アーム部、３０：操作パネル、４０：走行ハンドル、５０：画像読取装置、６０：走行部、６３：車輪、７０：バッテリー、８０：ＤＣ／ＤＣコンバータ、８１：ＤＣ／ＤＣコンバータ、８２：インバータ、９０：制御部、９６：Ｘ線スイッチ、１００：充電器、１０１：ＡＣプラグ
【図１】
2010252890.tif 000003
【図２】
2010252890.tif 000004
【図３】
2010252890.tif 000005
【図４】
2010252890.tif 000006